(57)【要約】      （修正有）【課題】前屈みが容易に行えない高齢者でも、スニーカーのようなソフトなシューズも簡単に履くことができる靴べらを提供する。【解決手段】携帯用靴べら１は、剛性の高い線材で形成された本体部２と、把持補助部３とからなり、本体部は、一連の線材を左右平行に所要間隔をもって形成すると共に、後端部側を把持部４とし、本体部の先端部側を鋭角に折り曲げて所要のアールをもった曲面のフック部５に形成したことにより構成されているため、細身で軽量であるから携帯に便利であると共に、本体部と補助部とを安定した状態で持つ（掴む）ことができ、先端部側のフック部をシューズの踵に引っ掛けて後方に引くことによって、シューズの踵を起立状態に維持して履き口を広く保ち、且つ、フック部形成の折り曲げ部分を曲面６に形成することで履く操作が容易に行えるので、高齢者でも、スニーカーのようなソフトなシューズも簡単に履くことができる。【選択図】図１
2014073348.tif 000002
【特許請求の範囲】
【請求項１】
剛性の高い線材で形成された本体部と、該本体部の後端部側に設けられた把持補助部とからなり、
前記本体部は、先端部側から後端部側まで一連の線材を左右平行に所要間隔をもって形成すると共に、後端部側を僅かに拡径して把持部とし、
前記本体部の先端部側を鋭角に折り曲げて所要長さのフック部に形成し、
該フック部を形成する折り曲げ部分は所要のアールをもった曲面に形成したこと
を特徴とする携帯用靴べら。
【請求項２】
前記把持補助部は、紐材またはプラスチック製であること
を特徴とする請求項１に記載の携帯用靴べら。
【請求項３】
前記鋭角の折り曲げ角度は、少なくとも７０±５°の範囲であること
を特徴とする請求項１乃至２に記載の携帯用靴べら。
【発明の詳細な説明】
【技術分野】
【０００１】  本発明は、剛性の高い金属線材を使用した高齢者向きの携帯用靴べらに関するものである。
【背景技術】
【０００２】  この種の携帯用の靴べらとしては、複数のものが従来例として公知になっている。その内の第Ｉの従来例としては、同一出願人に係る靴べらであって、波動形に形成した針金をクリップを設けたキャップに固着し、前記針金にさやを設けた構成にした携帯靴べらである（実用新案登録第３１７４３２９号公報）。【０００３】  この携帯靴べらは、小型軽量に仕上がり、洋服の内ポケットに嵩張ることなくクリップで止めて携帯できる。また、針金に鞘を設けたことで汚れや匂いなど気になる衛生面の解消に役立つ、というものである。【０００４】  また、公知に係る第２の従来例としては、靴べら本体をかかとに合わせて湾曲させると共に、靴べら本体と、靴のかかとの上部との係止手段（実施例では、楕円孔、左右縁部の弧状凹入部等）を設けた靴べらである（請求項４）（特開２０００−１５３号公報）。【０００５】  この靴べらは、靴べらの滑り面側先端部に、靴のかかととの係止手段乃至摩擦手段を設けたので、使用時に靴べらの脱抜抵抗が大きく、使用中に靴べらが抜け出すおそれがない。また滑り面側を肉薄としたので、かかとと靴のかかととの間のスペースが狭くなり、フィットした靴でも容易に履き得るとともに、滑り面をくぼみ状にしたのでかかとを靴べらに押しつけることにより、足を前進させる分力が生じ、靴を円滑容易に履くことができる、というものである。【０００６】  さらに、公知に係る第３の従来例としては、一対の柄と、該一対の柄を連結した連結部とを有し、前記柄は、先端において平板状に形成されたへら部と、該へら部と連結部との間において略円弧状に形成された支持部とを具備する靴べらである（特開２００５−２３７５３３号公報）。【０００７】  この靴べらは、一方の柄のへら部で靴のベロ部の垂れ下がりを防止して押し上げるとともに、他方の柄のへら部を靴の踵部に当接させることにより、足を挿入できる空間を確保でき、ベロ部や踵部を巻き込むことなく容易に足を主縁込ませて挿入することができる。また、へら部は平板状に形成されているので、へら部自体が容易に変形するとともに、へら部と支持部との境界を中心に容易に変形し、容易に足を滑り込ませることができる、というものである。
【先行技術文献】
【特許文献】
【０００８】
【特許文献１】実用新案登録第３１７４３２９号公報
【特許文献２】特開２０００−１５３号公報
【特許文献３】特開２００５−２３７５３３号公報
【発明の概要】
【発明が解決しようとする課題】
【０００９】  公知に係る第１の従来例の携帯靴べらは、例えば、スニーカーのような軽量でソフトなシューズは踵部が柔らかいので、そのようなシューズを履こうとした時に、踵部を起立状態に維持して履くのが難しく、踵部を引き上げようとすると簡単に抜けてしまい、特に、高齢者の場合は、軽量で歩き易いスニーカーを使用することが多いが、身体を前屈みに深く折り曲げること自体が困難であるため、シューズの踵部に指をかけて履くのが容易ではないのであり、前記構造の靴べらは、携帯に便利であるが、実質的に使用できないという問題点を有している。【００１０】  また、公知に係る第２の従来例の靴べらは、係止手段が楕円孔または左右縁部の弧状凹入部であることからして、倒伏している柔らかいシューズの踵部を起立状態に引き上げることができないばかりでなく、身体を前屈みに深く折り曲げることが困難な高齢者には、その取り扱いまたは使用が極めて困難であり使い勝手が悪いという問題点を有している。【００１１】  さらに、公知に係る第３の従来例の靴べらは、一対の柄を連結した連結部と、柄の先端に形成されたへら部とからなるものであって、全体として極めて長尺であり、携帯できないばかりでなく、ベロ部の垂れ下がりを防止し且つ靴の踵部に当接させた状態で、前後方向に位置する両連結部の間の空間部に足を入れて靴を履くというものであるが、その空間部につま先と踵が前後方向に向いている足を入れること自体が困難であり、その取り扱いおよび操作が極めて面倒であって、一般的な設置または据え置き式の靴べらを使用する方が操作し易いように思料される。【００１２】  従って、いずれの従来例においても、スニーカーのような軽量でソフトなシューズを履くのには向いていないし、特に、前屈みが容易に行えない高齢者に対して使い勝手を良くすることに解決課題を有する。
【課題を解決するための手段】
【００１３】  本発明は、前記課題を解決する具体的手段として、剛性の高い線材で形成された本体部と、該本体部の後端部側に設けられた把持補助部とからなり、前記本体部は、先端部側から後端部側まで一連の線材を左右平行に所要間隔をもって形成すると共に、後端部側を僅かに拡径して把持部とし、前記本体部の先端部側を鋭角に折り曲げて所要長さのフック部に形成し、該フック部を形成する折り曲げ部分は所要のアールをもった曲面に形成したことを特徴とする携帯用靴べらを提供するものである。【００１４】  前記発明において、前記把持補助部は、紐材またはプラスチック製であること、および前記鋭角の折り曲げ角度は、少なくとも７０±５°の範囲であること、を付加的な要件として含むものである。
【発明の効果】
【００１５】  本発明に係る携帯用靴べらによれば、線材で形成された本体部とその後端部側に設けられた把持補助部とから構成されているため、細身で軽量であるから携帯に便利であると共に、本体部と把持補助部とを安定した状態で持つ（掴む）ことができ、先端部側のフック部をシューズの踵に引っ掛けて後方に引くことによって、シューズの踵を起立状態に維持して履き口を広く保ち、且つ、フック部形成の折り曲げ部分を曲面に形成することで履く操作が容易に行えるので、特に、高齢者でも、この動作が簡単に行えるので、スニーカーのようなソフトなシューズも簡単に履くことができるという優れた効果を奏する。
【図面の簡単な説明】
【００１６】
【図１】本発明に係る第１の実施の形態に係る携帯用靴べらを示した斜視図である。
【図２】同実施の形態に係る携帯用靴べらの使用状況を示した側面図である。
【図３】本発明に係る第２の実施の形態に係る携帯用靴べらを示した斜視図である。
【図４】本発明に係る第３の実施の形態に係る携帯用靴べらを示した斜視図である。
【発明を実施するための形態】
【００１７】  本発明に係る携帯用靴べらについて、まず、第１の実施の形態について説明する。図１において、携帯用靴べら１は、本体部２と把持補助部３とから構成され、本体部２は、剛性の高い所要太さの線材を使用して、先端部側から後端部側まで一連の線材を左右平行に所要間隔をもって形成すると共に、後端部側を僅かに拡径して把持部４とし、該把持部４の後端部側は線材を内側に折り曲げて突き合わせてループ状に形成する。そして、本体部２の先端部側は鋭角に折り曲げて所要長さのフック部５としたものであり、その鋭角に折り曲げる部分は所要のアールをもった曲面６に形成したものである。
【００１８】  また、前記把持補助部３としては、一例として所要太さと長さの紐材であって、該紐材を把持部４に結び付けて取り付けたものであり、その紐材の自由端部には結び目３ａを形成してある。なお、本体部２を構成する線材の所要太さは１．５±０．３ｍｍで、所要間隔は概ね大人の指の太さ（１５ｍｍ）程度であり、前記フック部５の所要長さは８〜１５ｍｍ程度であり、鋭角の角度としては少なくとも７０±５°程度の範囲であり、前記紐材の太さは２〜３ｍｍで、長さは５０〜７０ｍｍ程度であり、全体として線材で細身に形成され且つ軽量であるため、携帯に便利である。
【００１９】  このように構成された携帯用靴べら１は、図２に示したように、シューズ７の踵８にフック部５を引っ掛けた状態で、足のつま先をスニーカーのようなソフトなシューズ７内に入れて、携帯用靴べら１を後方に引き戻すようにしながら足の踵部を踏み込むようにすることにより、曲面６に沿って踵部が滑り込むので、スニーカーのようなソフトなシューズでも、簡単に履くことができるのである。
【００２０】  特に、携帯用靴べら１は、本体部２と把持補助部３とから構成されているので、本体部２の把持部４を人差し指と中指と親指とで摘まむと共に、把持補助部３を薬指と小指と手の平側とで握ることにより、安定した状態で持つ（掴む）ことができるので、フック部５をシューズ７の踵８に引っ掛けて後方に引いて、シューズを履く操作が容易に行えるのである。特に、高齢者でも、この動作が簡単に行えるので、スニーカーのようなソフトなシューズも簡単に履くことができるのである。なお、スニーカーのみならず、通常の革靴でも同様にして使用できることはいうまでもない。
【００２１】  次に、本発明の第２の実施の形態について、図３を参照して説明する。なお、前記第１の実施の形態と同一部分には同一符号を付して、詳細な説明については、重複するので省略する。この第２の実施の形態に係る携帯用靴べら１１の本体部２については、先端部側を鋭角に折り曲げて所要長さのフック部５を設けること、鋭角に折り曲げる部分は所要のアールをもった曲面６に形成したことは前記第１の実施の形態と同じである。
【００２２】  そして、異なる部分は、本体部２の後端部側に設けた把持補助部である。すなわち、本体部２の後端部側に、把持部を兼ねたプラスチック製の把持補助部１３を一体的に設けたものである。この把持補助部１３は、断面矩形、円形または楕円形でその後端部側は、前記フック部５と同じ方向に折り曲げて手掛部１３ａを形成したものである。このように手掛部１３ａを形成することで、高齢者がシューズを履く動作の際に、把持補助部１３を持った時に、フック部５をシューズ７の踵８に引っ掛ける時に、その方向性を間違えないで操作することができるのである。なお、この携帯用靴べら１０の使用の仕方については、前記第１の実施の形態と同様であるので、その詳細については省略する。
【００２３】  さらに、本発明の第３の実施の形態について、図４を参照して説明する。なお、前記第１および第２の実施の形態と同一部分には同一符号を付して、詳細な説明については、重複するので省略する。この第３の実施の形態に係る靴べら２１は、前記第２の実施の形態の把持補助部１３の形状を変えただけであって、その他の構成は同一である。すなわち、把持補助部２３として、楕円形の平板なプラスチック製にしたものである。このようにすることで、持ち易くしたものであり、携帯用靴べら２０としての使用の仕方や操作については、前記第１および第２の実施の形態と同様であるので、詳細は省略する。
【産業上の利用可能性】
【００２４】  本発明に係る携帯用靴べらは、本体部２が剛性の高い線材で構成され、該本体部２の後端部側に設けられた把持補助部３とからなり、前記本体部２は、先端部側から後端部側まで一連の線材を左右平行に所要間隔をもって形成すると共に、後端部側を僅かに拡径して把持部４とし、前記本体部２の先端部側を鋭角に折り曲げて所要長さのフック部５に形成し、該フック部５を形成する折り曲げ部分は所要のアールをもった曲面６に形成した構成としたものであり、構成が簡単でありながら、フック部５をシューズ７の踵８に引っ掛け、つま先をシューズ７内に入れた状態で、靴べらを後方に引きながら足の踵を踏み込みさえすれば、曲面６の存在によって足の踵が滑り込み、簡単に履くことができるのであり、高齢者や身障者のみならず、広く一般に利用できるのである。
【符号の説明】
【００２５】１、１１、２１  携帯用靴べら
２  本体部
３、１３、２３  把持補助部
３ａ  結び目
１３ａ  手掛部
４  把持部
５  フック部
６  曲面
７  シューズ
８  踵部
【図１】
2014073348.tif 000003
【図２】
2014073348.tif 000004
【図３】
2014073348.tif 000005
【図４】
2014073348.tif 000006
【手続補正書】
【提出日】平成25年2月25日(2013.2.25)
【手続補正１】
【補正対象書類名】明細書
【補正対象項目名】００１３
【補正方法】変更
【補正の内容】
【００１３】  本発明は、前記課題を解決する具体的手段として、第１の発明は、剛性の高い線材で形成された本体部と、該本体部の後端部側に設けられた把持補助部とからなり、前記本体部は、先端部側から後端部側まで一連の線材を左右平行に所要間隔をもって形成すると共に、後端部側を僅かに拡径して把持部とし、前記本体部の先端部側を鋭角に折り曲げて所要長さのフック部に形成し、該フック部を形成する折り曲げ部分は所要のアールをもった曲面に形成したことを特徴とする携帯用靴べらを提供するものである。また、第２の発明として、剛性の高い線材で形成された本体部と、該本体部の後端部側に一体的に設けられた長方形または楕円形の把持部を兼ねたプラスチック製の把持補助部とからなり、前記本体部は、先端部側から後端部側まで一連の線材を左右平行に所要間隔をもって形成すると共に、本体部の先端部側を鋭角に折り曲げて所要長さのフック部に形成し、該フック部を形成する折り曲げ部分は所要のアールをもった曲面に形成したことを特徴とする携帯用靴べらを提供するものである。
【手続補正２】
【補正対象書類名】明細書
【補正対象項目名】００１４
【補正方法】変更
【補正の内容】
【００１４】  前記第１の発明において、前記把持補助部は、紐材であること；および前記第１と第２の発明において、前記本体部の先端部側における鋭角の折り曲げ角度は、少なくとも７０±５°の範囲であること、を付加的な要件として含むものである。
【手続補正３】
【補正対象書類名】特許請求の範囲
【補正対象項目名】全文
【補正方法】変更
【補正の内容】
【特許請求の範囲】
【請求項１】
剛性の高い線材で形成された本体部と、該本体部の後端部側に設けられた把持補助部とからなり、  前記本体部は、先端部側から後端部側まで一連の線材を左右平行に所要間隔をもって形成すると共に、後端部側を僅かに拡径して把持部とし、  前記本体部の先端部側を鋭角に折り曲げて所要長さのフック部に形成し、  該フック部を形成する折り曲げ部分は所要のアールをもった曲面に形成したこと  を特徴とする携帯用靴べら。
【請求項２】
剛性の高い線材で形成された本体部と、該本体部の後端部側に一体的に設けられた長方形または楕円形の把持部を兼ねたプラスチック製の把持補助部とからなり、前記本体部は、先端部側から後端部側まで一連の線材を左右平行に所要間隔をもって形成すると共に、本体部の先端部側を鋭角に折り曲げて所要長さのフック部に形成し、該フック部を形成する折り曲げ部分は所要のアールをもった曲面に形成したことを特徴とする携帯用靴べら。
【請求項３】
前記把持補助部は、紐材であること  を特徴とする請求項１に記載の携帯用靴べら。
【請求項４】
前記本体部の先端部側における鋭角の折り曲げ角度は、少なくとも７０±５°の範囲であること  を特徴とする請求項１乃至２に記載の携帯用靴べら。